(57)【要約】  【課題】  簡単な構造とするとともに、構成部材数を低減し、それだけ、開閉機構の厚みを小さくすることができるディスクカバー開閉機構及びそれを用いた光ディスク装置を提供する。  【解決手段】  ディスクカバー開閉機構２はボタン３と、スライド部材４と、弾性部材５とを備えており、ボタン支持部５１はボタン３の脚部３２の下端部を弾性支持し、スライド支持部５２はスライド部材４を弾性支持する。【選択図】      図３
2006114134.tif 000002
【特許請求の範囲】
【請求項１】
記録媒体である光ディスクにレーザ光を照射して情報を記録又は読出しする光ディスク
装置であって、前記光ディスクを回転させるためのスピンドルモータと、前記スピンドル
モータの回動と同期して回転し、前記光ディスクを滑らないように保持するディスク保持
部材と、前記光ディスクを挿入又は取出しするときに開閉されるカバー部材と、前記カバ
ー部材を開閉するためのディスクカバー開閉機構とを有しており、
前記カバー部材は端部が筐体本体に対して回動可能に支持されているとともに開く方向
に常時付勢されており、
前記ディスクカバー開閉機構は前記カバー部材の回動支持されている端部と反対側の端
部に近接して配置され、前記カバー部材の開閉方向と同じ方向に摺動するボタンと、前記
ボタンの摺動方向と直交する方向に摺動するスライド部材と、前記ボタン及び前記スライ
ド部材を弾性支持する弾性部材とを備えており、前記ボタンは本体部と、前記本体部の底
面より突出する２本の脚部と、前記脚部の間に配置される突出部とを有しており、前記ス
ライド部材は前記ボタンの脚部の間に配置され、前記突出部と接触し斜めに傾斜した傾斜
部を有しており、
前記弾性部材は金属の平板であり、それぞれ対称となる方向に切り起こされて前記ボタ
ンの脚部を支持するボタン支持部と、前記ボタン支持部と直交する方向に形成される延伸
部を折り曲げてスライド部材を摺動方向に弾性支持するスライド支持部とを有しており、
前記スライド部材は前記弾性部材の前記スライド支持部にて弾性支持されることで、前
記先端部を前記カバー部材に形成されている係合凹部と係合するように付勢されているこ
とを特徴とする光ディスク装置。
【請求項２】
記録媒体である光ディスクにレーザ光を照射して情報を記録又は読出しする光ディスク
装置であって、前記光ディスクを滑らないように保持するディスク保持部材と、前記光デ
ィスクを挿入又は取出しするときに開閉されるカバー部材と、前記カバー部材を開閉する
ためのディスクカバー開閉機構とを有しており、
前記カバー部材は端部が筐体本体に対して回動可能に支持されているとともに、開く方
向に常時付勢され、
前記ディスクカバー開閉機構は前記カバー部材の回動支持端部と離れている部分に近接
して配置され、前記カバー部材の開閉方向と同じ方向に摺動するボタンと、前記ボタンの
摺動方向と直交する方向に摺動するスライド部材と、前記ボタン及び前記スライド部材を
弾性支持する弾性部材とを備えており、前記ボタンは本体部と、前記本体部の底面より突
出する１個又は複数個の脚部と、前記本体部から垂直に突出する突出部とを有しており、
前記スライド部材は前記突出部と接触し斜めに傾斜した傾斜部を有しており、
前記弾性部材は弾性力を有する平板であり、前記平板の一部を折り曲げて前記ボタンの
脚部を支持するボタン支持部と、前記平板の前記ボタン支持部以外の部分を折り曲げてス
ライド部材を摺動方向に弾性支持するスライド支持部とを有しており、
前記スライド部材は前記弾性部材の前記スライド支持部にて弾性支持されることで、前
記先端部を前記カバー部材に形成されている係合凹部と係合するように付勢されているこ
とを特徴とする光ディスク装置。
【請求項３】
記録媒体である光ディスクを挿入又は取出しするときにカバー部材を開閉するものであ
って、
前記カバー部材の開閉方向と同じ方向に摺動するボタンと、前記ボタンの摺動方向と直
交する方向に摺動するスライド部材と、前記ボタン及び前記スライド部材を弾性支持する
弾性部材とを備えており、前記ボタンは本体部と、前記本体部の底面より突出する２本の
脚部と、前記脚部の間に配置される突出部とを有しており、前記スライド部材は前記ボタ
ンの脚部の間に配置され、前記突出部と接触し斜めに傾斜した傾斜部を有しており、
前記弾性部材は金属の平板であり、それぞれ対称となる方向に切り起こされて前記ボタ
ンの脚部を支持するボタン支持部と、前記ボタン支持部と直交する方向に形成される延伸
部を折り曲げてスライド部材を摺動方向に弾性支持するスライド支持部とを有しており、
前記スライド部材は前記弾性部材の前記スライド支持部にて弾性支持されることで、前
記先端部を前記カバー部材に形成されている係合凹部と係合するように付勢されているこ
とを特徴とするディスクカバー開閉機構。
【請求項４】
記録媒体である光ディスクを挿入又は取出しするときにカバー部材を開閉するものであ
って、
前記カバー部材の開閉方向と同じ方向に摺動するボタンと、前記ボタンの摺動方向と直
交する方向に摺動するスライド部材と、前記ボタン及び前記スライド部材を弾性支持する
弾性部材とを備えており、前記ボタンは本体部と、前記本体部の底面より突出する１個又
は複数個の脚部と、前記本体部から垂直に突出する突出部とを有しており、前記スライド
部材は前記突出部と接触し斜めに傾斜した傾斜部を有しており、
前記弾性部材は弾性力を有する平板であり、前記平板の一部を折り曲げて前記ボタンの
脚部を支持するボタン支持部と、前記平板の前記ボタン支持部以外の部分を折り曲げてス
ライド部材を摺動方向に弾性支持するスライド支持部とを有しており、
前記スライド部材は前記弾性部材の前記スライド支持部にて弾性支持されることで、前
記先端部を前記カバー部材に形成されている係合凹部と係合するように付勢されているこ
とを特徴とするディスクカバー開閉機構。
【発明の詳細な説明】
【技術分野】
【０００１】
本発明は、光ディスクに光を照射することでデータの記録及び（又は）読出しを行うこ
とができる光ディスク装置に関するものであり、特に前記光ディスクを光ディスク装置に
挿入するときに開閉するディスクカバー開閉機構に関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置への前記光ディスクの挿入方法は、光ディスクをそのまま機器に挿入
するもの、自動又は手動で摺動する摺動部材に前記光ディスクを載せて挿入するもの、一
部を回動可能に支持された開閉可能なカバーを開けて挿入するもの等が採用される場合が
多い。
【０００３】
その中でも、開閉可能なカバーを備えた光ディスク装置は、前記光ディスクをそのまま
挿入する方法に比べて埃、塵等の微粒子が本体内部に混入しにくい。また、前記光ディス
クを摺動部材に載せて挿入するものに比べて構造が簡単である等の利点を有しているため
携帯用の光ディス装置等に広く採用されている。カバーを開いて光ディスクを挿入する光
ディスク装置には、カバー又はカバーの近くにボタンが配置されており、該ボタンを押す
ことでカバーを開くことができる。また、前記カバーを閉じるときはカバーを閉じ、押さ
えることで閉じた状態で固定することができる。
【０００４】
図７に従来の光ディスク装置のディスクカバー開閉機構の水平断面図を、図８に図７に
示すディスクカバー開閉機構の垂直断面図を、図９に図７に示すディスクカバー開閉機構
の側断面図を示す。図７に示すように光ディスク装置のディスクカバー開閉機構９２は、
カバー部材９１と、ボタン９３と、スライド部材９４と、ボタン９３を弾性支持する第１
弾性部材９５と、スライド部材９４を弾性支持する第２弾性部材９６とを有している。第
１弾性部材９５及び第２弾性部材９６はコイルばねである。ボタン９３は本体部９３１と
、本体部９３１より垂直に突出する脚部９３２と、脚部９３２とは異なった部分から突出
する突出部９３３とを備えている。脚部９３２はそれには限定されないがここでは２個形
成されており、両方の脚部３２は筐体Ｂｄに形成されている摺動ガイド部Ｇｕと摺動可能
に係合している。ボタン９３は第１弾性部材９５によって付勢されている。
【０００５】
スライド部材９４は第２弾性部材９６にてカバー部材９１に向けて付勢されている。ス
ライド部材９１の先端は屈曲しており係合部９４２が形成されている。カバー部材９１は
ディスクカバー開閉機構９２が接している部分と反対側を回動可能に支持されており、図
示を省略した部材にて開く方向に付勢されている。さらに、カバー部材９１はスライド部
材９４の係合部９２が係合するための係合凹部９１１が形成されている。スライド部材９
４の係合部９４２が係合凹部９１１に係合することで、カバー部材９１が開くのを防いで
いる。
【０００６】
スライド部材９４は図９に示すようにボタン９３の突出部９３３の先端と常時接触し、
スライド部材９４が摺動する方向に傾斜している傾斜部９４１を備えている。ボタン９３
が押されて摺動すると、突出部９３３の先端がスライド部材９４の傾斜部９４１を押す。
傾斜部９４１が突出部９３３に押されることで、スライド部材９４はカバー部材９１から
遠ざかる方向に摺動する。スライド部材９４が摺動すると、スライド部材９４の係合部９
４２がカバー部材９１の係合凹部９１１から外れ、カバー部材９１が開く。
【０００７】
カバー部材９１の係合凹部９１１の下部は斜めに形成されたテーパー部９１２が形成さ
れており、カバー部材９１２を閉めるときにテーパー部９１２がスライド部材９４の係合
部９４２を押してスライド部材９４をカバー部材９１と反対側に摺動させる。カバー部材
９１が閉じ位置になったときに、スライド部材９４は第２弾性部材９６にて付勢されて係
合部９４２とカバー部材９１の係合凹部９１１とが係合し、カバー部材９１が開かないよ
うにする。
【特許文献１】特開２００２−１８５１６０号公報
【特許文献２】特開２００１−１２７８４３号公報
【特許文献３】特開平４−２７６２０号公報
【特許文献４】特開平７−２４３０２１号公報
【発明の開示】
【発明が解決しようとする課題】
【０００８】
ボタン９３は第１弾性部材９５で、スライド部材９４は第２弾性部材９６で弾性支持さ
れている。第１弾性部材９５は上述しているとおりコイルばねであり、縮んだ状態であっ
ても一定以上の長さを有する。すなわち、第１弾性部材９５を備えていることで、光ディ
スク装置のボタン９３の摺動方向の厚さが厚くなる。
【０００９】
また、ボタン９３を第１弾性部材９５で、スライド部材９４を第２弾性部材９６で支持
するので、弾性部材を２個必要とするので、部品の製造、取り付けに時間と、手間がかか
る。また、重量も重くなる。弾性部材でスライド部材を支持し、スライド部材が押される
ことで、ボタンを押し上げるものもあるが、ボタン自体が弾性部材によって支持されてい
ないので、カバー部材を閉めるときにボタンが沈み、使用感が悪い。
【００１０】
そこで本発明は、簡単な構造とするとともに、構成部材数を低減し、それだけ、開閉機
構の厚みを小さくすることができるディスクカバー開閉機構及びそれを用いた光ディスク
装置を提供することを目的とする。
【課題を解決するための手段】
【００１１】
上記目的を達成するために本発明は、記録媒体である光ディスクにレーザ光を照射して
情報を記録又は読出しする光ディスク装置であって、前記光ディスクを回転させるための
スピンドルモータと、前記スピンドルモータの回動と同期して回転し、前記光ディスクを
滑らないように保持するディスク保持部材と、前記光ディスクを挿入又は取出しするとき
に開閉されるカバー部材と、前記カバー部材を開閉するためのディスクカバー開閉機構と
を有しており、前記カバー部材は端部が筐体本体に対して回動可能に支持されているとと
もに開く方向に常時付勢されており、前記ディスクカバー開閉機構は前記カバー部材の回
動支持されている端部と反対側の端部に近接して配置され、前記カバー部材の開閉方向と
同じ方向に摺動するボタンと、前記ボタンの摺動方向と直交する方向に摺動するスライド
部材と、前記ボタン及び前記スライド部材を弾性支持する弾性部材とを備えており、前記
ボタンは本体部と、前記本体部の底面より突出する２本の脚部と、前記脚部の間に配置さ
れる突出部とを有しており、前記スライド部材は前記ボタンの脚部の間に配置され、前記
突出部と接触し斜めに傾斜した傾斜部を有しており、前記弾性部材は金属の平板であり、
それぞれ対称となる方向に切り起こされて前記ボタンの脚部を支持するボタン支持部と、
前記ボタン支持部と直交する方向に形成される延伸部を折り曲げてスライド部材を摺動方
向に弾性支持するスライド支持部とを有しており、前記スライド部材は前記弾性部材の前
記スライド支持部にて弾性支持されることで、前記先端部を前記カバー部材に形成されて
いる係合凹部と係合するように付勢されていることを特徴とする。
【００１２】
この構成によると、１個の弾性部材で前記ボタンの弾性支持と前記スライド部材の弾性
支持を行うことができるので、それだけ、光ディスク装置の部品点数を減らすことができ
る。このことによって、前記光ディスク装置を軽量化することが可能である。
【００１３】
さらにこの構成によると、前記弾性部材は金属性の板ばねであり、該弾性部材自体の厚
みを、小さくすることができる。これにより、前記光ディスク装置を従来のものに比べて
薄く作ることができる。また、薄くなることで前記光ディスク装置の筐体を構成している
部材の量を減らすことができ、それだけ、軽量化することができるとともに、無駄を省く
ことができる。
【００１４】
上記目的を達成するために本発明は、記録媒体である光ディスクにレーザ光を照射して
情報を記録又は読出しする光ディスク装置であって、前記光ディスクを滑らないように保
持するディスク保持部材と、前記光ディスクを挿入又は取出しするときに開閉されるカバ
ー部材と、前記カバー部材を開閉するためのディスクカバー開閉機構とを有しており、前
記カバー部材は端部が筐体本体に対して回動可能に支持されているとともに、開く方向に
常時付勢され、前記ディスクカバー開閉機構は前記カバー部材の回動支持端部と離れてい
る部分に近接して配置され、前記カバー部材の開閉方向と同じ方向に摺動するボタンと、
前記ボタンの摺動方向と直交する方向に摺動するスライド部材と、前記ボタン及び前記ス
ライド部材を弾性支持する弾性部材とを備えており、前記ボタンは本体部と、前記本体部
の底面より突出する１個又は複数個の脚部と、前記本体部から垂直に突出する突出部とを
有しており、前記スライド部材は前記突出部と接触し斜めに傾斜した傾斜部を有しており
、前記弾性部材は弾性力を有する平板であり、前記平板の一部を折り曲げて前記ボタンの
脚部を支持するボタン支持部と、前記平板の前記ボタン支持部以外の部分を折り曲げてス
ライド部材を摺動方向に弾性支持するスライド支持部とを有しており、前記スライド部材
は前記弾性部材の前記スライド支持部にて弾性支持されることで、前記先端部を前記カバ
ー部材に形成されている係合凹部と係合するように付勢されていることを特徴とする。
【００１５】
この構成によると、１個の弾性部材で前記ボタンの弾性支持と前記スライド部材の弾性
支持を行うことができるので、それだけ、光ディスク装置の部品点数を減らすことができ
る。このことによって、前記光ディスク装置を軽量化することが可能である。
【００１６】
さらにこの構成によると、前記弾性部材は板ばねであり、該弾性部材自体の厚みを、小
さくすることができる。これにより、前記光ディスク装置を従来のものに比べて薄く作る
ことができる。また、薄くなることで前記光ディスク装置の筐体を構成している部材の量
を減らすことができ、それだけ、軽量化することができるとともに、無駄を省くことがで
きる。
【００１７】
前記弾性部材として金属製の平板を例示することができる。また、平板の材料は金属に
限定されるものではなく、十分な弾性力を有するとともに、繰り返し荷重がかかることに
よる疲労破壊を起こしにくい材料を広く採用することができる。前記弾性部材は平板に前
記ボタン支持部と前記スライド支持部のいずれか一方又は両方を強固に固定したものであ
っても良い。
【００１８】
上記目的を達成するために本発明は、記録媒体である光ディスクを挿入又は取出しする
ときにカバー部材を開閉するためのディスクカバー開閉機構であって、前記カバー部材の
開閉方向と同じ方向に摺動するボタンと、前記ボタンの摺動方向と直交する方向に摺動す
るスライド部材と、前記ボタン及び前記スライド部材を弾性支持する弾性部材とを備えて
おり、前記ボタンは本体部と、前記本体部の底面より突出する２本の脚部と、前記脚部の
間に配置される突出部とを有しており、前記スライド部材は前記ボタンの脚部の間に配置
され、前記突出部と接触し斜めに傾斜した傾斜部を有しており、前記弾性部材は金属の平
板であり、それぞれ対称となる方向に切り起こされて前記ボタンの脚部を支持するボタン
支持部と、前記ボタン支持部と直交する方向に形成される延伸部を折り曲げてスライド部
材を摺動方向に弾性支持するスライド支持部とを有しており、前記スライド部材は前記弾
性部材の前記スライド支持部にて弾性支持されることで、前記先端部を前記カバー部材に
形成されている係合凹部と係合するように付勢されていることを特徴とする。
【００１９】
この構成によると、１個の弾性部材で前記ボタンの弾性支持と前記スライド部材の弾性
支持を行うことができるので、それだけ、ディスクカバー開閉機構の部品点数を減らすこ
とができる。このことによって、前記ディスクカバー開閉機構が備えられる光ディスク装
置を軽量化することが可能である。
【００２０】
さらにこの構成によると、前記弾性部材は金属性の板ばねであり、該弾性部材自体の厚
みを、小さくすることができる。これにより、前記ディスクカバー開閉機構を従来のもの
に比べて薄く作ることができる。また、前記ディスクカバー開閉機構が薄くなることで前
記光ディスク装置も薄くすることができ、その筐体を構成している部材の量を減らすこと
ができ、それだけ、軽量化することができるとともに、無駄を省くことができる。
【００２１】
上記目的を達成するために本発明は、記録媒体である光ディスクを挿入又は取出しする
ときにカバー部材を開閉するためのディスクカバー開閉機構であって、前記カバー部材の
開閉方向と同じ方向に摺動するボタンと、前記ボタンの摺動方向と直交する方向に摺動す
るスライド部材と、前記ボタン及び前記スライド部材を弾性支持する弾性部材とを備えて
おり、前記ボタンは本体部と、前記本体部の底面より突出する１個又は複数個の脚部と、
前記本体部から垂直に突出する突出部とを有しており、前記スライド部材は前記突出部と
接触し斜めに傾斜した傾斜部を有しており、前記弾性部材は弾性力を有する平板であり、
前記平板の一部を折り曲げて前記ボタンの脚部を支持するボタン支持部と、前記平板の前
記ボタン支持部以外の部分を折り曲げてスライド部材を摺動方向に弾性支持するスライド
支持部とを有しており、前記スライド部材は前記弾性部材の前記スライド支持部にて弾性
支持されることで、前記先端部を前記カバー部材に形成されている係合凹部と係合するよ
うに付勢されていることを特徴とする。
【００２２】
この構成によると、１個の弾性部材で前記ボタンの弾性支持と前記スライド部材の弾性
支持を行うことができるので、それだけ、前記ディスクカバー開閉機構の部品点数を減ら
すことができる。このことによって、前記ディスクカバー開閉機構が備えられている前記
光ディスク装置を軽量化することが可能である。
【００２３】
さらにこの構成によると、前記弾性部材は板ばねであり、該弾性部材自体の厚みを、小
さくすることができる。これにより、前記ディスクカバー開閉機構を従来のものに比べて
薄く作ることができる。また、薄くなることで前記光ディスク装置の筐体を構成している
部材の量を減らすことができ、それだけ、軽量化することができるとともに、無駄を省く
ことができる。
【００２４】
前記弾性部材として金属製の平板を例示することができる。また、平板の材料は金属に
限定されるものではなく、十分な弾性力を有するとともに、繰り返し荷重がかかることに
よる疲労破壊を起こしにくい材料を広く採用することができる。前記弾性部材は平板に前
記ボタン支持部と前記スライド支持部のいずれか一方又は両方を強固に固定したものであ
っても良い。
【発明の効果】
【００２５】
本発明によると、簡単な構造とするとともに、構成部材数を低減し、それだけ、開閉機
構の厚みを小さくすることができるディスクカバー開閉機構及びそれを用いた光ディスク
装置を提供することを目的とする。
【発明を実施するための最良の形態】
【００２６】
以下に本発明の実施形態を図面を参照して説明する。図１に本発明にかかる光ディスク
装置である携帯型ＣＤプレーヤの平面図を示す。図１に示すＣＤプレーヤＡは、筐体Ｂｄ
と、記録媒体であるＣＤメディアＭｄを挿入又は取出しするときに開閉するカバー部材１
と、カバー部材１を開閉するためのディスクカバー開閉機構２とを有している。カバー部
材１は端部１０で筐体Ｂｄに回動可能に支持されている。また、カバー部材１を開いた内
部の中心部には、ＣＤメディアＭｄに設けられた、中心部の孔に貫通させ、ＣＤメディア
Ｍｄを保持し、回転させるためのディスク保持部材Ｄｈが配置されている。カバー部材１
は後述のスライド部材４の係合部４２が係合する係合凹所１１が形成されている。
【００２７】
ディスク保持部材ＤｈはＣＤメディアＭｄの中央に形成されている貫通孔の内径と略同
じ大きさの回転軸Ｄｈ１と、回転軸Ｄｈ１の外側に付勢されるボール状の固定部Ｄｈ２が
備えられている。ＣＤメディアＭｄをディスク保持部材Ｄｈに取り付けるときは、回転軸
Ｄｈ１をＣＤメディアＭｄの貫通孔を貫通するようにＣＤメディアＭｄを配置する。ＣＤ
メディアＭｄを押し付けることで、ボール状の固定部Ｄｈ２が回転軸Ｄｈ１の内部に押さ
れる。固定部Ｄｈ２がＣＤメディアＭｄの貫通孔の内側を押すことで回転軸Ｄｈ１にＣＤ
メディアＭｄを滑らないように固定することができる。これによって、回転軸Ｄｈ１を回
動することで、ＣＤメディアＭｄを回動させることができる。
【００２８】
図２に本発明にかかるディスクカバー開閉機構の一例の水平断面図を、図３に図２に示
すディスクカバー開閉機構の垂直断面図を、図４に図２に示すディスクカバー開閉機構の
側断面図を示す。図２に示すディスクカバー開閉機構２はボタン３と、スライド部材４と
、弾性部材５とを備えている。図２、３、４に示すようにボタン３は本体部３１と、本体
部３１より垂直に突出する脚部３２と、脚部３２とは異なった部分から突出する突出部３
３とを備えている。脚部３２はそれには限定されないがここでは２個形成されており、両
方の脚部３２は筐体Ｂｄに形成されている摺動ガイド部Ｇｕと摺動可能に係合している。
【００２９】
スライド部材４は２個の脚部３２の間に配置されるものであり、突出部３３が接触し、
接触部が傾いている傾斜部４１と、傾斜部４１が形成されているのと反対側の先端部はカ
バー部材１の係合凹部１１と係合するための係合部４２が形成されている。
【００３０】
図５（Ａ）に図２に示すディスクカバー開閉機構に用いられている弾性部材の斜視図を
、図５（Ｂ）に弾性部材を製作する前の金属板の平面図を示す。図５（Ａ）に示すように
、弾性部材５は六角形状を有しており、脚部３２を支持するボタン支持部５１と、スライ
ド部材４を弾性支持するスライド支持部５２とを有している。
【００３１】
また、図５（Ｂ）に示すように弾性部材５の材料である金属板はそれには限定されない
が、ここでは、略六角形状を有しており、左右対称形状を有している。六角形の略中央部
に対称軸を挟んで対称方向に切り起こし部５０１が形成されている。また、金属板の対称
軸と直交する辺のうち短い方の辺の中央には延伸部５０２が形成されている。ボタン支持
部５１は切り起こし部５０１が互いに反対向きに切り起こされることで形成されるもので
あり、スライド支持部５２は延伸部５０２を曲げることで形成されている。
【００３２】
図２、３に示すようにボタン支持部５１はボタン３の脚部３２の下端部を弾性支持する
ものである。さらに、図２、４に示すようにスライド支持部５２はスライド部材４を弾性
支持する。ボタン支持部５１がボタン３を弾性支持することでボタン３が自重によって沈
むのを防いでいる。また、スライド支持部５２がスライド部材４を弾性支持することで、
係合部４２がカバー部材１の係合凹部１１に係合するようにスライド部材４を押し付ける
ので、カバー部材１が意に反して開くのを防いでいる。
【００３３】
図６（Ａ）〜（Ｄ）に本発明にかかるディスクカバー開閉機構の動作手順の側断面図を
示す。図６（Ａ）に示すようにＣＤプレーヤＡはカバー部材１が閉じた状態である。この
とき、ボタン３は弾性部材５のボタン支持部５１にて弾性支持されており、ボタン３の本
体部３１の上面が筐体Ｂｄの上面と略同一平面上に配置されている。また、スライド部材
４は弾性部材５のスライド支持部５２にて弾性支持されており、カバー部材１方向に押さ
れて、スライド部材４の係合部４２とカバー部材１の係合凹部１１とが係合している。こ
れによって、カバー部材１が開かないように保持している。
【００３４】
図６（Ｂ）に示すようにボタン３を押して脚部３２の方向（図中下方）に摺動させる。
ボタン３を押すことで、突出部３３が下方に移動する。このとき、突出部３の先端はスラ
イド部材４の傾斜部４１を押す。これにより、スライド部材４はカバー部材１の反対側に
摺動され、先端の係合部４２とカバー部材１の係合凹部１１との係合が外れ、カバー部材
１が開く。カバー部材１が開いた状態でＣＤメディアＭｄの挿入／取出しを行う。このと
き、ボタン３は弾性部材５のボタン支持部５１より付勢されて上方に押し上げられ、本体
部３１の上面と筐体Ｂｄの上面とが略同一平面上に配置されるように支持される。
【００３５】
図６（Ｃ）に示すようにＣＤメディアＭｄの挿入／取出しを行ったのち、カバー部材１
を閉じる。このとき、カバー部材１の係合凹部１１の下部には斜めに傾斜したテーパー部
１２が形成されている。カバー部材１を閉じる方向に回動し、テーパー部１２をスライド
部材４の係合部４２と接触させる。テーパー部１２が係合部４２と接触した状態でさらに
カバー部材１を押えることで、係合部４２はテーパー部１２にて押され、スライド部材４
はスライド支持部５２からの付勢力に反して摺動する。
【００３６】
図６（Ｄ）に示すように、スライド部材４の係合部４２がカバー部材１の係合凹部１１
に係合できる位置になるまでカバー部材１が押されると、弾性部材５のスライド支持部５
２からの付勢力により、スライド部材４が摺動し係合部４２が係合凹部１１に嵌合する。
これにより、係合部４２と係合凹部１１とが係合し、カバー部材１が開くのを防ぐ。カバ
ー部材１を閉じるときにスライド部材４は弾性部材５のスライド支持部５２の付勢力に反
して摺動するが、ボタン３は弾性部材５のボタン支持部５１にて移動しないように、換言
すれば、本体部３１の上面が筐体Ｂｄの外面と同一又は略同一面上に配置されるように支
持されている。
【００３７】
上述実施例では、弾性部材として金属製のものを例示しているが、それに限定されるも
のではなく、十分な弾性力を有し、繰り返し荷重による疲労破壊を起こしにくい素材で形
成されているものを広く採用することができる。また、１枚の金属板を切り起こし、曲げ
ることで形成された弾性部材を例示しているが、それに限定されるものではなく、同じ、
形状の板材を複数枚重ねて形成してもよい。また、板材に板ばね状のボタン支持部とスラ
イド支持部を強固に固定したものであっても良い。十分な弾性力を有し、厚みの薄いもの
を広く採用することができる。
【００３８】
上記実施例において、弾性部材は対称形状を有する六角形状のものを例示し説明してい
るが、それに限定されるものではなく、ディスクカバー開閉機構の形状に合わせた形状か
ら、広く採用することができる。また、上記実施例において、光ディスク装置の例として
、ＣＤプレーヤを挙げているが、それに限定されるものではなく、カバー部材が回動する
ことで開閉するものを広く採用することができる。
【産業上の利用可能性】
【００３９】
本発明のディスクカバー開閉機構は、ＤＶＤ、ＣＤ、ＬＤ等の光ディスク回動すること
でディスクカバーを開閉することができる光ディスク装置において適用することができる
。
【図面の簡単な説明】
【００４０】
【図１】本発明にかかる光ディスク装置である携帯型ＣＤプレーヤの平面図である。
【図２】本発明にかかるディスクカバー開閉機構の一例の水平断面図である。
【図３】図２に示すディスクカバー開閉機構の垂直断面図である。
【図４】図２に示すディスクカバー開閉機構の側断面図である。
【図５】図（Ａ）は図２に示すディスクカバー開閉機構に用いられている弾性部材の斜視図であり、図（Ｂ）は弾性部材を製作する前の金属板の平面図である。
【図６】図（Ａ）〜（Ｄ）は本発明にかかるディスクカバー開閉機構の動作手順の側断面図である。
【図７】従来の光ディスク装置のディスクカバー開閉機構の水平断面図である。
【図８】図７に示すディスクカバー開閉機構の垂直断面図である。
【図９】図７に示すディスクカバー開閉機構の側断面図である。
【符号の説明】
【００４１】
１  カバー部材
１１  係合凹部
１２  テーパー部
２  ディスクカバー開閉機構
３  ボタン
３１  本体部
３２  脚部
３３  突出部
４  スライド部材
４１  傾斜部
４２  係合部
５  弾性部材
５１  ボタン支持部
５２  スライド支持部
Ｂｄ  筐体
Ｇｕ  衝動ガイド部
Ｍｄ  ＣＤメディア
Ｄｈ  ディスク保持部材
Ｄｈ１  回転軸
Ｄｈ２  固定部
【図１】
2006114134.tif 000003
【図２】
2006114134.tif 000004
【図３】
2006114134.tif 000005
【図４】
2006114134.tif 000006
【図５】
2006114134.tif 000007
【図６】
2006114134.tif 000008
【図７】
2006114134.tif 000009
【図８】
2006114134.tif 000010
【図９】
2006114134.tif 000011